(57)【要約】【課題】放電ランプのフラッタを抑制でき、かつランプ寿命を長できる放電ランプ駆動装置を提供する。【解決手段】ランプ６にランプ電源５からランプ駆動電流を供給してランプ６を点灯駆動する放電ランプ駆動装置において、上記ランプ駆動電流にパルスを重畳するパルスオンと上記ランプ駆動電流にパルスを重畳しないパルスオフとを、ランプ６の点灯時間に応じて切り換え制御するランプ電源制御回路４を備える。ランプ電源制御回路４は、例えば上記パルスオンの期間と上記パルスオフの期間とが一定時間間隔で交互に繰り返すように、ランプ電源５を制御する。【選択図】        図１
2004342388.tif 000002
【特許請求の範囲】
【請求項１】
放電ランプに駆動電流を供給して前記放電ランプを点灯駆動する放電ランプ駆動装置において、
前記駆動電流にパルスを重畳するパルスオンと前記駆動電流にパルスを重畳しないパルスオフとを、前記放電ランプの点灯時間に応じて切り換え制御する制御手段を備えたことを特徴とする放電ランプ駆動装置。
【請求項２】
前記制御手段は、前記パルスオンの期間と前記パルスオフの期間とが一定時間間隔で交互に繰り返すように制御する
ことを特徴とする請求項１記載の放電ランプ駆動装置。
【請求項３】
前記制御手段は、前記放電ランプの点灯時間があらかじめ設定された時間を経過した後は、前記パルスオフの期間が前記設定された時間を経過する前よりも長くなるように、あるいは前記パルスオンの期間が前記設定された時間を経過する前よりも短くなるように制御することを特徴とする請求項１記載の放電ランプ駆動装置。
【請求項４】
前記制御手段は、
前記放電ランプの点灯時間があらかじめ設定された時間を経過するまではパルスオンに制御し、
前記点灯時間が前記設定された時間を経過した後はパルスオフに制御する
ことを特徴とする請求項１記載の放電ランプ駆動装置。
【請求項５】
放電ランプに駆動電流を供給して前記放電ランプを点灯駆動する放電ランプ駆動装置において、
前記駆動電流に重畳するパルスのレベル（パルス波高または／およびパルス幅）を、前記放電ランプの点灯時間に応じてｎ（ｎは２以上の整数）段階に切り換え制御する制御手段を備えたことを特徴とする放電ランプ駆動装置。
【請求項６】
前記制御手段は、前記ｎ段階のパルスレベルが一定時間間隔でサイクリックに繰り返すように制御することを特徴とする請求項５記載の放電ランプ駆動装置。
【請求項７】
前記制御手段は、前記放電ランプの点灯時間があらかじめ設定された時間を経過した後は、前記ｎ段階のレベルの内に最大のものを除いたいずれかのレベルの期間が前記設定された時間を経過する前よりも長くなるように制御することを特徴とする請求項５記載の放電ランプ駆動装置。
【請求項８】
放電ランプに駆動電流を供給して前記放電ランプを点灯駆動する放電ランプ駆動装置において、
前記放電ランプの電極間の電圧（管電圧）を測定する測定手段と、
前記駆動電流にパルスを重畳するパルスオンと前記駆動電流にパルスを重畳しないパルスオフとを、前記管電圧に応じて切り換え制御する制御手段と
を備えた
ことを特徴とする放電ランプ駆動装置。
【請求項９】
前記制御手段は、
前記管電圧があらかじめ設定された電圧以下の場合は、前記パルスオンに制御し、
前記管電圧が前記設定された電圧以上の場合は、前記パルスオフに制御する
ことを特徴とする請求項８記載の放電ランプ駆動装置。
【請求項１０】
前記制御手段は、
前記管電圧があらかじめ設定された電圧以下の場合は、前記パルスオンの期間と前記パルスオフの期間とが一定時間間隔で交互に繰り返すように制御し、
前記管電圧が前記設定された電圧以上の場合は、前記パルスオフに制御する
ことを特徴とする請求項８記載の放電ランプ駆動装置。
【請求項１１】
前記制御手段は、
前記管電圧があらかじめ設定された第１の電圧以下の場合は、前記パルスオンの期間と前記パルスオフの期間とが一定時間間隔で交互に繰り返すように制御し
前記管電圧が前記第１の電圧以上であってあらかじめ設定された第２の電圧以下の場合は、前記第１の電圧以下の場合よりも前記パルスオフの期間が長くなるように、あるいは前記第１の電圧以下の場合よりも前記パルスオンの期間が短くなるように制御し、
前記管電圧が前記第２の電圧以上の場合は、前記パルスオフに制御する
ことを特徴とする請求項８記載の放電ランプ駆動装置。
【請求項１２】
放電ランプと、
この放電ランプに駆動電流を供給して点灯駆動する請求項１から１１までのいずれかに記載の放電ランプ駆動装置と
を備えた
ことを特徴とする投射型映像表示装置。
【発明の詳細な説明】
【０００１】
【発明の属する技術分野】
本発明は、放電ランプを備えた投射型映像表示装置等において、上記放電ランプに駆動電流を供給して点灯駆動する放電ランプ駆動装置に関するものである。
【０００２】
【従来の技術】
従来の放電ランプ駆動装置においては、ＵＨＰ（Ｕｌｔｒａ  Ｈｉｇｈ  Ｐｅｒｆｏｒｍａｎｃｅ）ランプに適合するように設計されたランプ電源を備え、このランプ電源から上記ＵＨＰランプ供給するランプ駆動電流にパルスを重畳することにより、ランプのフラッタ現象（ランプのパカツキ）を軽減しているものがあった（例えば、非特許文献１参照）。
【０００３】
【非特許文献１】
“ＵＨＰシステム”、［ｏｎｌｉｎｅ］、［２００３年３月１４日検索］、インターネット＜ＵＲＬ：ｈｔｔｐ：／／ｗｗｗ．ｐｈｉｌｉｐｓ．ｃｏ．ｊｐ／ｌｉｇｈｔｉｎｇ／ｐｒｏｄｕｃｔｓ／ｕｈｐ／ｕｈｐ＿ｓｙｓｔｅｍ．ｈｔｍｌ＞
【０００４】
【発明が解決しようとする課題】
しかしながら、上記従来の放電ランプ駆動装置では、フラッタを軽減できる反面、ランプ駆動電流にパルスが重畳することにより、ランプの寿命が短くなるという課題があった。
【０００５】
本発明は、このような従来の課題を解消するためになされたものであり、放電ランプのフラッタを抑制でき、かつランプ寿命を長できる放電ランプ駆動装置を提供することを目的とする。
【０００６】
【課題を解決するための手段】
本発明の放電ランプ駆動装置は、
放電ランプに駆動電流を供給して前記放電ランプを点灯駆動する放電ランプ駆動装置において、
前記駆動電流にパルスを重畳するパルスオンと前記駆動電流にパルスを重畳しないパルスオフとを、前記放電ランプの点灯時間に応じて切り換え制御する制御手段を備えたことを特徴とするものである。
【０００７】
また、本発明の他の放電ランプ駆動装置は、
放電ランプに駆動電流を供給して前記放電ランプを点灯駆動する放電ランプ駆動装置において、
前記駆動電流に重畳するパルスのレベル（パルス波高または／およびパルス幅）を、前記放電ランプの点灯時間に応じてｎ（ｎは２以上の整数）段階に切り換え制御する制御手段を備えたことを特徴とするものである。
【０００８】
また、本発明のさらに他の放電ランプ駆動装置は、
放電ランプに駆動電流を供給して前記放電ランプを点灯駆動する放電ランプ駆動装置において、
前記放電ランプの電極間の電圧（管電圧）を測定する測定手段と、
前記駆動電流にパルスを重畳するパルスオンと前記駆動電流にパルスを重畳しないパルスオフとを、前記管電圧に応じて切り換え制御する制御手段と
を備えた
ことを特徴とするものである。
【０００９】
【発明の実施の形態】
実施の形態１．
以下に説明する実施の形態１の放電ランプ駆動装置は、放電ランプに供給するランプ駆動電流に重畳するパルスを、放電ランプの点灯時間（ランプ装着時からのランプ通電点灯時間）に応じてオン・オフすることを特徴とするものである。
【００１０】
図１は本発明の実施の形態１の放電ランプ駆動装置を適用した投射型映像表示装置のブロック構成図である。この図１の投射型映像表示装置は、信号処理回路１と、マイコン２と、メモリ３と、ランプ電源制御回路４と、ランプ電源５と、ランプ（放電ランプ）６と、光学エンジン７と、スクリーン８とを備えている。
【００１１】
図１において、メモリ３には、信号処理回路１とランプ電源制御回路４の制御に必要な設定情報が保存されている。マイコン２は、メモリ３内に保存されている設定情報を参照して、信号処理回路１およびランプ電源制御回路４を制御する。また、マイコン２は、信号処理回路１等の設定情報が変更された場合には、変更された設定情報をメモリ３に保存しなおす。
【００１２】
信号処理回路１は、マイコン２の制御に従って、入力された映像信号を例えばＡＤ変換およびスクリーン８の解像度に応じて拡大縮小変換して、光学エンジン７を駆動する駆動信号を発生する。また、信号処理回路１は、ランプ電源５を駆動する制御信号を発生する。
【００１３】
ランプ電源制御回路４は、ランプ点灯時間に応じてランプ電源５（ランプ電源５が発生するランプ駆動電流の波形）を制御する。
【００１４】
ランプ電源５は、信号処理回路１からの制御信号によって駆動され、ランプ電源制御回路４による制御に従って、ランプ駆動電流（ランプ６を駆動する電流）を発生する。
【００１５】
ランプ６は、交流点灯式の放電ランプ（交流ランプ）である。このランプ６の点灯に関しては、ランプ電源５から供給されるランプ駆動電流の波形によって制御される。
【００１６】
光学エンジン７は、例えばＤＭＤ（Ｄｉｇｉｔａｌ  Ｍｉｃｒｏｍｉｒｒｏｒ  Ｄｅｖｉｃｅ）チップを含み、信号処理回路１からの駆動信号に従って上記ＤＭＤが駆動されることによって、ランプ６を光源として映像信号をスクリーン８上に投影する。
【００１７】
図２および図３は本発明の実施の形態１の放電ランプ駆動装置の制御動作を説明する図であって、図２はランプ駆動電流の波形を示す図、図３はランプ６の電極の状態を示す図、図４はランプ駆動電流に重畳するパルスのオン・オフの切り換えタイミングを示す図である。これら図２から図４までを用いて、実施の形態１の放電ランプ駆動装置の制御動作について以下に説明する。
【００１８】
この実施の形態１では、ランプ電源制御回路４は、図２に示すように、ランプ電源５においてランプ駆動電流に重畳されるパルスのオン・オフを切り換え制御できるようになっている。
【００１９】
パルスオフの場合には、図２（Ａ）に示すような交流電流波形をランプ駆動電流としてランプ電源５からランプ６に供給され、ランプ６を点灯させる。また、パルスオンの場合には、図２（Ｂ）に示すようなパルスを重畳した交流電流波形をランプ駆動電流としてランプ電源５からランプ６に供給し、ランプ６を点灯させる。
【００２０】
ランプ６の電極の初期状態は、図３（Ａ）に示すような形状になっており、電極間の最短距離においてランプ６の放電がなされる。しかし、交流ランプの場合には、ランプに流れる電流波形の極性が＋−と変化し、電流の極性が変化するときにランプが一瞬オフするので、これに起因して、ランプ６の電極の状態は点灯時間とともに変化する。
【００２１】
図２（Ａ）のパルスオフの場合（パルスオフで点灯し続けた場合）には、ランプ６に流れる電流の極性変化によってランプ６が一瞬オフしたときにランプ６の電極の温度が冷える。このため、ランプ６の点灯時間が長くなると電極が劣化し、図３（Ｂ）に示すような形状に変化する。
【００２２】
この図３（Ｂ）のように電極が劣化した場合には、ランプ電極間の最短距離となるポイントが１点にならないため、放電ポイントが一定にならず、時間とともに放電ポイントが変化する。このように放電ポイントが変化すると、フラッタ現象（ランプのパカツキ）が発生する。
【００２３】
これに対し、図２（Ｂ）のパルスオンの場合（パルスオンで点灯し続けた場合）には、ランプ６に流れる電流の極性変化の直前にランプ駆動電流に付加されたパルスによって電極の温度を上げてから、電流の極性変化によってランプ６が一瞬オフする。このようにパルスによって電極の温度を上げることによって、ランプ６のオフ時の温度低下を抑えることができるので、点灯による電極の経時劣化が少なくなり、図３（Ｃ）に示すような形状に変化する。
【００２４】
この図３（Ｃ）のように電極が変化した場合には、ランプ電極間の最短距離が変化せず、放電ポイントが一定になるので、フラッタ現象は発生しない。
【００２５】
しかしながら、図２（Ｂ）に示す駆動電流波形でランプ６を点灯し続けた場合には、図２（Ａ）に示す駆動電流波形でランプ６を点灯し続けた場合よりもランプ６の寿命が短くなる。
【００２６】
このように、ランプ駆動電流のパルスをオフした状態でランプ６を長時間点灯した場合には、ランプ６のフラッタ現象が発生するが、ランプ寿命は長くなる。これに対して、ランプ駆動電流のパルスをオンした状態でランプ６を長時間点灯した場合には、ランプ６のフラッタ現象は発生しないが、ランプ寿命が短くなる。
【００２７】
そこで、この実施の形態１では、図４に示すようにランプ駆動電流の波形においてパルスをオンする期間とオフする期間とが一定時間ごとに切り換えるように、ランプ電源制御回路４によってランプ電源５を制御する。
【００２８】
例えば、未使用のランプが投射型映像表示装置に装着された時点で、ランプ電源制御回路４内のランプタイマ値をリセットすると、ランプ電源制御回路４では、最初の１０時間は、図２（Ｂ）に示すようにランプ駆動電流にパルスを重畳するように（パルスをオンに）制御する。これに続く１０時間では、図２（Ａ）に示すようにランプ駆動電流にパルスを重畳しないように（パルスをオフに）制御する。以下、図４に示すように、ランプ電源制御回路４内のランプタイマが１０時間カウントするごとにパルスのオン・オフを交互に繰り返すように制御する。
【００２９】
このように、ランプ駆動電流においてのパルスのオン・オフを一定時間ごとに繰り返すことにより、ランプ６の電極が点灯時間の経過によって図３（Ｂ）と図３（Ｃ）の中間の形状である図３（Ｄ）に示すような形状に変化するように、ランプ電源５を制御することが可能になる。この図３（Ｄ）のように電極が変化した場合には、図３（Ｃ）の場合と同様に、ランプ電極間の最短距離が変化せず、放電ポイントが一定になるので、フラッタ現象は発生しない。
【００３０】
また、ランプ駆動電流のパルスのオン・オフを一定時間ごとに繰り返すことにより、ランプ寿命は、ランプ駆動電流のパルスをオンしたままでランプ６を点灯し続ける場合よりも長くなる。
【００３１】
このように実施の形態１によれば、ランプ駆動電流においてのパルスのオン・オフを一定時間ごとに切り換えることにより、ランプ６のフラッタ現象の発生を抑制し、かつランプの寿命を長くすることができる。
【００３２】
なお、上記実施の形態１では、ランプ駆動電流においてのパルスのオン・オフの一定時間ごとの切り換え制御において、パルスオンの時間とパルスオフの時間を同じにしていたが、これらの時間を互いに異なる時間にすることも可能である。例えば、パルスオンの時間を２０時間、パルスオフの時間を１０時間として、オンの時間とオフの時間を互いに異なる間隔にすることも可能である。
【００３３】
また、ランプ６の電極は、一度図３（Ｄ）に示すように形成されると、ランプ駆動電流のパルスをオフしても、図３（Ｂ）に示すような電極劣化に変化するまでに時間がかかる。このため、図５に示すように、ランプ点灯時間があらかじめ設定された時間を経過した後は経過する前よりもパルスオフの時間を長くするするように制御することも可能である。あるいは、ランプ点灯時間が上記設定された時間を経過した後は経過する前よりもパルスオンの時間を短くするするように制御することも可能である。上記実施の形態１では、パルスオンとパルスオフを一定時間ごとに切り換えていたが、このように、上記設定された時間に前後でパルスオン・オフの期間を変更することにより、ランプ６のフラッタ現象の発生を抑制し、かつランプ寿命をさらに延ばすことができる。
【００３４】
また、ランプ６の電極は、一度図３（Ｃ）に示すように形成されると、ランプ駆動電流のパルスをオフしても、ランプ電極が劣化するまでに要する時間が長くなる。このため、図６に示すように、ランプ点灯時間があらかじめ設定された時間に到達するまではパルスをオンし、ランプ点灯時間上記設定された時間に到達した後はパルスをオフするように制御することも可能である。これにより、ランプ電源５の制御が簡単になり、ランプ６のフラッタ現象の発生を抑制し、かつランプ寿命を延ばすことができる。
【００３５】
実施の形態２．
以下に説明する実施の形態２の放電ランプ駆動装置は、放電ランプに供給するランプ駆動電流に重畳するパルスの電流レベルを、ランプ点灯時間に応じて切り換えることを特徴とする。
【００３６】
上記実施の形態１では、上記パルスのオン・オフを切り換え制御したが、以下の実施の形態２のように、ランプ駆動電流のパルスのレベルを切り換え制御することによっても、上記実施の形態１と同様の効果が得られる。
【００３７】
この実施の形態２の放電ランプ駆動装置を適用した投射型映像表示装置の構成は、上記実施の形態１の放電ランプ駆動装置を適用した投射型映像表示装置（図１参照）と同様である。
【００３８】
図７および図８は本発明の実施の形態２の放電ランプ駆動装置の制御動作を説明する図であって、図７はランプ駆動電流の波形を示す図、図８はランプ駆動電流に重畳するパルスのレベルの切り換えタイミングを示す図である。これら図７および図８を用いて、実施の形態２の放電ランプ駆動装置の制御動作について以下に説明する。
【００３９】
この実施の形態２では、ランプ電源制御回路４は、図７に示すように、ランプ電源５においてランプ駆動電流に重畳されるパルスのレベルを、レベル１，レベル２，レベル３の３段階に切り換え制御できるようになっている。
【００４０】
図７において、パルスレベル３は、上記実施の形態１においての図２（Ｂ）のパルスと同じパルス波高のレベルである。また、パルスレベル１は、上記実施の形態１においての図２（Ａ）と同じパルス波形のレベル（パルスオフのレベル）である。また、パルスレベル２は、パルス波高がパルスレベル３の半分になるレベルである。
【００４１】
交流ランプの場合には、ランプに流れる電流波形の極性が＋−と変化し、電流の極性が変化するときにランプが一瞬オフするので、これに起因して、ランプ６の電極の状態は点灯時間とともに変化する。
【００４２】
図７のレベル１に示すようにランプ駆動電流波形上にパルスがない場合（レベル１で点灯し続けたした場合）には、電流の極性変化によるランプ６のオフ時に電極の温度が冷えることにより、図３（Ｂ）に示すように点灯時間の経過による電極の劣化が起こる。
【００４３】
また、図７のレベル３の場合（レベル３で点灯し続けた場合）には、ランプ駆動電流の極性変化の直前にパルスによって電流を増やして電極の温度を上げてからランプ６が一瞬オフするので、オフ時の電極の温度低下を抑えることができ、図３（Ｃ）に示すように点灯時間の経過による電極の劣化は少なく、ランプ６のフラッタ現象は発生しない。
【００４４】
これに対して、図７のレベル２の場合（レベル２で点灯し続けた場合）には、ランプ駆動電流に対するパルス波高が十分でなく、ランプ駆動電流の極性変化時に電極の温度が十分に上昇していないため、電極の劣化が起こる。しかしながら、レベル１の場合と比較すれば、電極が劣化してフラッタが発生するまでに要する時間は長くなる。また、レベル３と比較すれば、ランプ寿命が長くなる。
【００４５】
そこで、この実施の形態２では、図８に示すようにランプ駆動電流の波形においてパルスレベル３の期間とパルスレベル２の期間とを一定時間ごとに切り換えるように、ランプ電源制御回路４によってランプ電源５を制御する。
【００４６】
例えば、未使用のランプが投射型映像表示装置に装着された時点で、ランプ電源制御回路４内のランプタイマ値をリセットすると、ランプ電源制御回路４では、最初の１０時間は、パルスのレベルが図７のレベル３になるように制御する。これに続く２０時間では、パルスのレベルが図７のレベル２になるように制御する。以下、図８に示すように、レベル３とレベル２のパルスレベルを交互に繰り返すように制御する。
【００４７】
このように、ランプ駆動電流においてのパルスのレベルを一定時間ごと変更することにより、ランプ６の電極が点灯時間に経過によって図３（Ｂ）と図３（Ｃ）の中間の形状である図３（Ｄ）に示すような形状に変化するように、ランプ電源５を制御することが可能になる。この図３（Ｄ）のように電極が変化した場合には、図３（Ｃ）の場合と同様に、ランプ電極間の最短距離が変化せず、放電ポイントが一定になるので、フラッタ現象は発生しない。また、図３（Ｄ）のように電極が変化するまでにおいて、図８の場合はランプ駆動電流に重畳するパルスが完全にオフされる期間がないので、ランプ６のフラッタ現象が発生しにくい。
【００４８】
また、ランプ駆動電流においてのパルスのレベルを一定時間ごと変更することにより、ランプ寿命は、ランプ駆動電流のパルスをオンしたままでランプ６を点灯し続ける場合よりも長くなる。
【００４９】
このように実施の形態２によれば、ランプ駆動電流においてのパルスのレベルを一定時間ごとに切り換えることにより、ランプ６のフラッタ現象の発生を抑制し、かつランプの寿命を長くすることができる。
【００５０】
なお、上記実施の形態２では、パルスのレベルをレベル２とレベル３の２段階に切り換え制御していたが、図９に示すように、パルスを完全にオフするレベル１を含め、パルスのレベルを３段階に切り換え制御することも可能である。さらに、パルスのレベルをｎ段階（ｎは２以上の任意の整数）に切り換え制御することも可能である。また、上記実施の形態２では、パルス波高を変更することによって、パルスレベルを変更したが、パルス幅を変更することによっても、あるいはパルス波高およびパルス幅をともに変更することによっても、パルスレベルを変更できる。また、それぞれのレベルを保持する時間は任意の時間に設定可能である。
【００５１】
また、ランプ６の電極は、一度図３（Ｄ）に示すように形成されると、パルスをオフしても、図３（Ｂ）に示すような電極劣化に変化するまでに時間がかかる。このため、図１０に示すように、ランプ点灯時間があらかじめ設定された時間を経過した後は経過する前よりもレベル２（レベル２とレベル３の内の低いレベル）の期間を長くするように制御することも可能である。あるいは、ランプ点灯時間が上記設定された時間を経過した後は経過する前よりもレベル３（レベル２とレベル３の内の高いレベル）の期間を短くするように制御することも可能である。これにより、ランプ６のフラッタ現象の発生を抑制し、かつランプ寿命をさらに延ばすことができる。
【００５２】
実施の形態３．
以下に説明する実施の形態３の放電ランプ駆動装置は、放電ランプに供給するランプ駆動電流に重畳するパルスを、放電ランプの電極間の電圧（管電圧）に応じてオン・オフすることを特徴とするものである。
【００５３】
上記実施の形態１では、ランプ点灯時間に応じてパルスオン・オフを切り換え制御していたが、以下の実施の形態３のように、ランプ電極間の電圧（管電圧）に応じてパルスオン・オフを切り換え制御しても、上記実施の形態１と同様の効果が得られる。
【００５４】
図１１は本発明の実施の形態３の放電ランプ駆動装置を適用した投射型映像表示装置のブロック構成図であり、図１と同じものには同じ符号を付してある。この図１１の投射型映像表示装置は、信号処理回路１と、マイコン２と、メモリ３と、ランプ電源制御回路１０と、ランプ電源５と、ランプ６と、光学エンジン７と、スクリーン８と、管電圧測定回路１１とを備えている。
【００５５】
このように、図１１の投射型映像表示装置は、図１の投射型映像表示装置において、管電圧測定回路１１を設け、ランプ電源制御回路４をランプ電源制御回路１０としたものである。
【００５６】
管電圧測定回路１１は、ランプ電源５においてランプ６の電極間の電圧（管電圧）を観測し、その観測結果をランプ電源制御回路１０に出力する。
【００５７】
ランプ電源制御回路１０は、管電圧測定回路１１で観測された管電圧に応じてランプ電源５（ランプ電源５が発生するランプ駆動電流の波形）を制御する。
【００５８】
図１２および図１３は本発明の実施の形態３の放電ランプ駆動装置の制御動作を説明する図であって、図１２はランプ点灯時間に対するランプ管電圧の特性を示す図、図１３はランプ駆動電流に重畳するパルスのオン・オフの切り換えタイミングを示す図である。これら図１２および図１３を用いて、実施の形態３の放電ランプ駆動装置の制御動作について以下に説明する。
【００５９】
通常、ランプ管電圧は、図１２に示すように、図３（Ａ）のようなランプ電極の初期状態から図３（Ｃ）のようなランプ電極の形成がなされるまではランプ点灯時間の経過とともに上昇し、上記ランプ電極の形成がなされ後は、その上昇カーブが緩やかになる。
【００６０】
この実施の形態３では、ランプ電源制御回路１０は、図１３に示すように、管電圧測定回路１１で観測された管電圧が、ランプ初期状態の電圧から、あらかじめ設定された図１２に示すスレッショルド電圧Ａ（管電圧の上昇カーブが緩やかな特性に変化する電圧）に到達するまでは、図２（Ｂ）のパルスオンにランプ電源５を制御し、上記観測された管電圧が、上記電圧Ａに到達した後は、図２（Ａ）のパルスオフにランプ電源５を制御する。
【００６１】
ここで、ランプ管電圧が上記電圧Ａまで到達した時点で、図３（Ｃ）に示すようにランプ６の電極が形成されたと判断することができる。一度このようなランプの電極形成がなされると、ランプ駆動電流においてのパルスをオフしても、ランプ６の電極が劣化してフラッタが発生するまでに要する時間は長くなる。従って、ランプ管電圧が電圧Ａに上昇するまでは、ランプ駆動電流においてのパルスをオンすることによりランプ６のフラッタ現象を抑制する必要があるが、管電圧が電圧Ａに上昇した後は、ランプ駆動電流においてのパルスをオフしても、ランプ６のフラッタ現象が発生しない。
【００６２】
このように実施の形態３によれば、管電圧を測定し、この管電圧がスレショルド電圧Ａ以上になったら、ランプ駆動電流においてのパルスをオンからオフに切り換えることにより、ランプ６のフラッタ現象の発生を抑え、かつランプ寿命を長くすることができる。
【００６３】
さらに、管電圧によってランプ６の電極の形成状態を判断することにより、パルスのオン・オフの切り換えタイミングの精度が上がり、初期状態でのランプの電極劣化を防ぐことができるので、ランプ寿命をさらに長くすることができる。
【００６４】
なお、上記実施の形態３では、管電圧が図１２のスレッショルド電圧Ａになった時点でパルスのオン・オフを切り換えていたが、図１４に示すように、管電圧が上記電圧Ａに到達するまでは、一定時間ごとにパルスのオン・オフを繰り返すように制御し、管電圧が上記電圧Ａに到達した後は、パルスをオフにするように制御することも可能である。このように、管電圧が電圧Ａ以下の場合に一定時間ごとにパルスのオン・オフを繰り返すことにより、管電圧が上記電圧Ａに到達するまでの時間が長くなるので、ランプ寿命をさらに長くすることができる。
【００６５】
また、図１５に示すように、管電圧が図１２の電圧Ａ以下の場合には、一定時間ごとにパルスのオン・オフを繰り返すように制御し、管電圧が図１２の電圧Ａ以上であらかじめ設定された電圧Ｂ以下の場合には、パルスオフの期間が上記電圧Ａ以下の場合よりも長くなるように、あるいはパルスオフの期間が上記電圧Ａ以下の場合よりも短くなるように制御し、管電圧が上記電圧Ｂ以上の場合は、パルスをオフにするように制御することも可能である。このように、管電圧がＡ−Ｂの間もパルスのオン・オフ切り換え制御がなされるので、電極劣化によるランプのフラッタ現象がさらに発生しにくくなる。
【００６６】
また、上記実施の形態３では、管電圧の値に応じてパルスのオン・オフを切り換え制御していたが、図７に示すように管電圧の値に応じてパルスのレベルを切り換え制御することも可能である。
【００６７】
【発明の効果】
以上説明したように本発明によれば、放電ランプのフラッタ現象の発生を抑制し、かつランプ寿命を長くすることができるという効果がある。
【図面の簡単な説明】
【図１】本発明の実施の形態１の放電ランプ駆動装置を適用した放電ランプ装置のブロック構成図である。
【図２】本発明の実施の形態１の放電ランプ駆動装置の制御動作を説明する図であって、ランプ駆動電流の波形を示す図である。
【図３】本発明の実施の形態１の放電ランプ駆動装置の制御動作を説明する図であって、ランプの電極の状態を示す図である。
【図４】本発明の実施の形態１の放電ランプ駆動装置の制御動作を説明する図であって、ランプ駆動電流に重畳するパルスのオン・オフの切り換えタイミングを示す図である。
【図５】本発明の実施の形態１の放電ランプ駆動装置の他の制御動作を説明する図であって、ランプ駆動電流に重畳するパルスのオン・オフの切り換えタイミングを示す図である。
。
【図６】本発明の実施の形態１の放電ランプ駆動装置のさらに他の制御動作を説明する図であって、ランプ駆動電流に重畳するパルスのオン・オフの切り換えタイミングを示す図である。
【図７】本発明の実施の形態２の放電ランプ駆動装置の制御動作を説明する図であって、ランプ駆動電流の波形を示す図である。
【図８】本発明の実施の形態２の放電ランプ駆動装置の制御動作を説明する図であって、ランプ駆動電流に重畳するパルスのレベルの切り換えタイミングを示す図である。
【図９】本発明の実施の形態２の放電ランプ駆動装置の他の制御動作を説明する図であって、ランプ駆動電流に重畳するパルスのレベルの切り換えタイミングを示す図である。
【図１０】本発明の実施の形態２の放電ランプ駆動装置のさらに他の制御動作を説明する図であって、ランプ駆動電流に重畳するパルスのレベルの切り換えタイミングを示す図である。
【図１１】本発明の実施の形態３の放電ランプ駆動装置を適用した放電ランプ装置のブロック構成図である。
【図１２】本発明の実施の形態３の放電ランプ駆動装置の制御動作を説明する図であって、ランプ点灯時間に対する管電圧の特性を示す図である。
【図１３】本発明の実施の形態３の放電ランプ駆動装置の制御動作を説明する図であって、ランプ駆動電流に重畳するパルスのオン・オフの切り換えタイミングを示す図である。
【図１４】本発明の実施の形態３の放電ランプ駆動装置の他の制御動作を説明する図であって、ランプ駆動電流に重畳するパルスのオン・オフの切り換えタイミングを示す図である。
【図１５】本発明の実施の形態３の放電ランプ駆動装置のさらに他の制御動作を説明する図であって、ランプ駆動電流に重畳するパルスのオン・オフの切り換えタイミングを示す図である。
【符号の説明】
１  信号処理回路、  ２  マイコン、  ３  メモリ、  ４  ランプ電源制御回路、  ５  ランプ電源、  ６  ランプ、  ７  光学エンジン、  ８  スクリーン。
【図１】
2004342388.tif 000003
【図２】
2004342388.tif 000004
【図３】
2004342388.tif 000005
【図４】
2004342388.tif 000006
【図５】
2004342388.tif 000007
【図６】
2004342388.tif 000008
【図７】
2004342388.tif 000009
【図８】
2004342388.tif 000010
【図９】
2004342388.tif 000011
【図１０】
2004342388.tif 000012
【図１１】
2004342388.tif 000013
【図１２】
2004342388.tif 000014
【図１３】
2004342388.tif 000015
【図１４】
2004342388.tif 000016
【図１５】
2004342388.tif 000017